(57)【特許請求の範囲】
【請求項１】
複数の給油機構を収納した機器ケースを有し、細長く形成され両側に給油エリアを設けたアイランド上に立設され、該給油エリアに対向する正面側および背面側が給油操作の操作面となるよう形成した本体ケースと、前記機器ケースの上部に配置され正面側及び背面側に表示パネルを有する表示器ケースと、該正面側及び背面側のそれぞれの表示パネルに取り付けられ給油設定データを入力するとともに給油データに基づく給油料金精算のための給油伝票を出力するデータ入出力装置を構成する外設機とを備え、前記表示パネルには、給油料金精算のための紙幣読取機が取り付けられ、該紙幣読取機は、前記正面側及びその対応する背面側の表示パネルにそれぞれの紙幣挿入口を設け、それぞれの紙幣挿入口の近傍に挿入センサを設け、内部に紙幣挿入口のいずれかが使用できるように切り換えるガイドを設け、このガイドに沿って紙幣案内部を設け、これら紙幣案内路で案内された紙幣を鑑別する１つの鑑別機を設けたものであることを特徴とする給油装置。
【発明の詳細な説明】
【０００１】
【発明の属する技術分野】
本発明は、給油データの設定あるいは給油料金の精算に関する機器を設けた給油装置に関するものである。
【０００２】
【従来の技術】
従来、給油所にはアイランド上に給油装置が設置され、この給油装置の近傍に給油データの設定及び給油料金の精算に関する作業を行う屋外データ入出力装置が設けられている。アイランド上の給油装置は、前面及び背面の２面から給油可能であり、屋外データ入出力装置では、給油装置番号、給油装置の使用面、油種、給油量等の給油設定データを入力することで、給油装置を使用することが可能になり、給油終了後には発行される給油伝票に基づいて精算を行っている。
【０００３】
【発明が解決しようとする課題】
しかしながら、従来の給油所において朝夕のラッシュ時等には、給油装置と屋外データ入出力装置の間を往復したりすることがあり、また顧客自身が行うセルフ給油所においては、機器が離れて設置されていると、給油データの設定等に戸惑ったりすることで時間が掛かり、顧客の回転効率が悪くなるおそれがあった。また、屋外データ入出力装置は、給油装置間に設置されているために、給油装置番号や給油装置の使用面を入力する必要があった。
【０００４】
本発明は上記事情に鑑みなされたもので、給油データの設定作業を簡略化できるとともに作業性を向上できる給油装置を提供することを目的とする。
【０００５】
【課題を解決するための手段】
上記目的を達成するために請求項１に記載の発明にあっては、複数の給油機構を収納した機器ケースを有し、細長く形成され両側に給油エリアを設けたアイランド上に立設され、該給油エリアに対向する正面側および背面側が給油操作の操作面となるよう形成した本体ケースと、前記機器ケースの上部に配置され正面側及び背面側に表示パネルを有する表示器ケースと、該正面側及び背面側のそれぞれの表示パネルに取り付けられ給油設定データを入力するとともに給油データに基づく給油料金精算のための給油伝票を出力するデータ入出力装置を構成する外設機とを備え、前記表示パネルには、給油料金精算のための紙幣読取機が取り付けられ、該紙幣読取機は、前記正面側及びその対応する背面側の表示パネルにそれぞれの紙幣挿入口を設け、それぞれの紙幣挿入口の近傍に挿入センサを設け、内部に紙幣挿入口のいずれかが使用できるように切り換えるガイドを設け、このガイドに沿って紙幣案内部を設け、これら紙幣案内路で案内された紙幣を鑑別する１つの鑑別機を設けたものであることを特徴とするものである。本体ケースの正面側及び背面側の表示パネルに取り付けた外設機により給油設定データを入力し、給油料金精算のための給油伝票が出力されることで、給油データの設定作業を簡略化できるとともに作業性を向上できる。紙幣読取機を表示パネルに取り付けることで、給油装置の周りで給油料金の精算作業を行うことができ、また１つの鑑別機により表示パネルの正面側及び背面側から使用することができるため機器コストを低減することができる。
【００１２】
【発明の実施の形態】
以下、本発明を図示の一実施形態により具体的に説明する。図１〜図５は本発明第１実施形態の給油装置を説明する図であり、図１は給油装置の斜視図、図２は給油装置の正面図、図３は給油装置の表示パネル部分の正面図、図４は給油装置の制御装置の構成を説明するブロック図、図５は貨幣読取機の機構を説明する図である。
【００１３】
これらの図において、本実施形態の給油装置１０は、例えば、レギュラーガソリン、ハイオクガソリン及び軽油等のいずれかの油種を、正面側及び背面側から顧客自身が操作して給油可能なセルフサービス式の地上設置型の装置であり、細長く形成されて両側に給油エリア２，２を有するアイランド１上に本体ケース１１が立設されている。この本体ケース１１内には、それぞれの油種の給油機構１２を構成する給油ポンプや流量計等が収納されている。本体ケース１１は、ベースプレート１３の上部に配置された給油機構１２を収納する機器ケース１４と、その上部に配置された表示器ケース１５と、機器ケース１４及び表示器ケース１５の左右に設けられた支柱１６，１６と、支柱１６，１６の上端部間に設けられた給油ノズル１９を接続した給油ホース１８を吊り下げる頂部ケース１７等とから構成されており、その給油エリア２，２にそれぞれ対向する正面側及び背面側が操作面側になっている。給油ノズル１９は、機器ケース１４の正面側及び背面側に設けられたノズル掛け２０に掛けられるようになっている。ノズル掛け２０の近傍には、給油ノズル１９の掛け外しを検知するノズルスイッチ２１が設けられている。そして、表示器ケース１５は、フレーム等で全体として箱型のハウジングに形成されており、そのハウジングの正面側及び背面側が縦方向に複数（実施形態ではそれぞれ３つ）に区画され、それぞれの区画の正面にプラスチック等で成型された表示パネル２２が開閉自在に取付けられている。
【００１４】
中央部に配置された正面側及び背面側の表示パネル２２ａには、表示器２３として透過型液晶表示からなる給油金額表示器２３ａ、給油量表示器２３ｂ及び単価表示器２３ｃ、単価を切り換え表示するためのＬＥＤ等からなる表示灯２３ｄ、及び音声による給油案内をするスピーカ３８が取付けられている。
【００１５】
また、他の表示パネル２２ａには、給油設定データの入力、その入力データ、給油データあるいは給油中のキャンペーン情報、交通情報もしくは宣伝情報等を表示するタッチパネル式表示器２４、給油伝票を出力する取り出し口を有するプリンタ２５、クレジットカードやデビットカードを読み取るカードリーダ２６及び人の存在を検知する人体検知センサ２７が取付けられている。
【００１６】
さらに、他の表示パネル２２ａには、プリペードカード等のリーダ／ライタ２８、給油料金精算のための紙幣読取機２９及びその上部に事務所員と連絡するためのインターフォン４が取付けられている。
【００１７】
また、表示器ケース１５内には、給油機構１２及び表示パネル２２に取付けられた各機器を制御するための制御装置３０が収納されている。この制御装置３０は、図４に示すように、給油機構１２の給油ポンプの動作を制御し、流量計から出力される流量パルスを積算し給油量や給油料金を算出する給油制御部３０ａと、算出した給油量や給油料金等を表示器２３に表示する制御を行う表示制御部３０ｂと、タッチパネル式表示器２４、プリンタ２５、カードリーダ２６やカードリーダ／ライタ２８、スピーカ３８等のデータ入出力装置を構成する外設機３２を制御する外設機制御部３０ｃと、紙幣読取機２９を制御する紙幣読取制御部３０ｄ等とから構成され、給油所の事務所に配置されたＰＯＳ端末３とデータ送受信可能に接続されている。制御装置３０においては、外設機３２で設定された給油設定データがＰＯＳ端末３へ送信され、そのＰＯＳ端末３から給油許可を受信し、給油データをＰＯＳ端末３へ送信している。外設機３２を構成するタッチパネル式表示機２４及びスピーカ３８では、身体センサ２７からの検知信号が外設機制御部３０ｃへ入力することでタッチパネル式表示器２４の設定画面表示が開始し、スピーカ３８による給油案内が開始するようになっている。また、タッチパネル式表示器２４により給油設定データを入力すると、それが設けられた正面側または背面側の給油機構１２を操作することが可能になり、使用面を入力する必要がない。
【００１８】
紙幣読取機２９，２９は、図５に示すように、正面側及びその対応する背面側の位置に紙幣挿入口３３，３３を設け、それぞれの紙幣挿入口３３，３３の近傍に挿入センサ３４、３４を設け、内部に紙幣挿入口３３，３３のいずれかが使用できるように切り換えるガイド３５を設け、このガイド３５に沿って紙幣案内部３６，３６を設け、これら紙幣案内路３６，３６で案内された紙幣を鑑別する１つの鑑別機３７を設けたものである。すなわち、表示器ケース１５内に配置した１つの鑑別機３７により紙幣の読取を正面側及び背面側から行えるようになっている。また、外設機３２を構成するプリンタ２５、カードリーダ２６やカードリーダ／ライタ２８も正面側及びその対応する背面側の位置に給油伝票の取り出し口や、カードの挿入口を設け表示器ケース１５内に配置した１つのプリンタ機構、カードリーダ機構やカードリーダ／ライタ機構で行えるようにしてもよい。さらに、紙幣読取機２９,２９に併せてつり銭機を設けるようにしてもよい。
【００１９】
次に、外設機３２のデータ入出力装置を構成するタッチパネル式表示器２４及びプリンタ２５を中心とする動作、及び給油機構１２の動作を具体的に説明する。
【００２０】
図６は第１実施形態のデータ入出機器を構成する外設機の動作を説明するフローチャート、図７は第１実施形態の給油機構の動作を説明するフローチャートである。
【００２１】
まず、図６に示すように、顧客が給油装置１０の正面側あるいは背面側に近づいて人体センサ３３が人を検知し、その検知信号が外設機制御部３０ｃへ入力したとき（ＳＴ１）、タッチパネル式表示器２４の表示面に給油設定データ入力のための画面が表示される（ＳＴ２）。なお、このとき同時にスピーカ３８から音声による給油案内が開始される。そして、この画面に基づいて、例えば、油種、給油量及び給油方法等の給油設定データを入力すると（ＳＴ３）、そのデータが制御装置３０からＰＯＳ端末３へ送信される（ＳＴ４）。これに対して、ＰＯＳ端末３は、給油許可信号を制御装置３０へ送信し、給油が可能な状態になる。次に、図７に示すように、タッチパネル式表示器２４による給油設定データが給油制御部３０ａに入力し（ＳＴ１１）、続いてノズル掛け２０から給油ノズル１９が外されノズルスイッチ２１のオン信号が給油制御部３０ａに入力すると（ＳＴ１２）、表示制御部３０ｂにより表示器２３の帰零が行われ給油機構１１の給油ポンプがオンする（ＳＴ１３）。給油ノズル１９のノズルレバーを引くことにより給油が開始しそれにともない給油機構１２の流量計から流量パルスが出力され（ＳＴ１４）、その流量パルスが計数され表示器２３及びタッチパネル式表示器２４に表示される（ＳＴ１５）。そして、給油が終了して給油ノズル１９をノズル掛け２０に掛けノズルスイッチ２１がオフすると（ＳＴ１６）、給油ポンプがオフとなり給油データが外設機制御部３０ｃ、紙幣読取制御部３０ｄへ出力されるとともに、ＰＯＳ端末３へ出力される（ＳＴ１７）。続いて、図６に示すように、給油データが入力したとき（ＳＴ５）、外設機３２を構成するプリンタ２５は、給油伝票を発行して取り出し口へ排出する（ＳＴ６）。なお、紙幣読取機２９においては、給油料金に相当する紙幣を挿入すると、鑑別機３７により紙幣を鑑別し、つり銭機が設けられているときにはつり銭を排出し、つり銭機が設けられていないときには給油伝票につり銭が印字され事務所でそのつり銭を受け取る。
【００２２】
上記構成の給油装置１０では、データ入出力装置を構成する外設機３２がケース本体１１の給油エリア２，２に対向する表示器ケース１５の正面側及び背面側の表示パネル２２に取り付けられ、そのいずれかの面側で操作すれば、給油機構１２が自動的に使用可能になり、給油装置番号や使用面の入力が必要なくなるため、給油設定データが短時間で簡単に入力することができ、給油終了後の給油料金の精算も簡単になる。また、本実施形態では、外設機３２を構成するタッチパネル式表示器２４が、人体検知センサ２７による人の検知信号により給油設定画面の表示が開始されるとともにスピーカ３８により給油案内が行われ、給油設定から精算までできるため操作性がよくなる。精算のための紙幣読取機２９は、その紙幣挿入口３３が正面側及び背面側に設けられているが、ガイド３５を切り換え１つの鑑別機３７により紙幣の読取を行えるため、機器コストを低減することができる。また、クレジットカード、デビットカードあるいはプリペードカードを所持する顧客の対応を給油装置１０の周辺で行うことができる。さらに、本実施形態のタッチパネル式表示器２４では、給油中にキャンペーン情報、交通情報もしくは宣伝情報等を表示することで顧客サービスをすることができる。
【００２３】
図８及び図９は本発明第２実施形態の給油装置を説明する図であり、図８は給油装置の表示パネル部分の正面図、図９は給油装置の制御装置の構成を説明するブロック図である。なお、第１実施形態に対応する部分及び部材は同一の符号を記し詳細の説明を省略する。
【００２４】
これらの図において、本実施形態の給油装置４０は、作業員が給油作業を行うものであり、第１実施形態と同様に形成された表示器ケース１５で正面側及び背面側の表示パネル２２のうち、中央部に配置された正面側及び背面側の表示パネル２２ａには、給油金額表示器２３ａ、給油量表示器２３ｂ及び単価表示器２３ｃが取付けられている。また、他の表示パネル２２ａには、給油設定データを入力するキーボード４１、その表示器４２、給油伝票を出力する取り出し口を有するプリンタ２５、クレジットカードやデビットカードを読み取るカードリーダ２６が取付けられている。
【００２５】
また、表示器ケース１５内には、各機器を制御するための制御装置４３が収納されている。この制御装置４３は、図９に示すように、給油機構１２の給油ポンプの動作を制御し、流量計から出力される流量パルスを積算し給油量や給油料金を算出する給油制御部４３ａと、算出した給油量や給油料金等を表示器２３に表示する制御を行う表示制御部４３ｂと、キーボード４１、表示器４２、プリンタ２５及びカードリーダ２６等のデータ入出力装置を構成する外設機４４を制御する外設機制御部４３ｃ等とから構成され、給油所の事務所に配置されたＰＯＳ端末３とデータ送受信可能に接続されている。その他の構成は第１実施形態と同様である。
【００２６】
上記構成の給油装置４０では、データ入出力装置を構成する外設機４４が表示器ケース１５の正面側及び背面側の表示パネル２２に取り付けられ、そのいずれかの面側で操作すれば、給油機構１２を自動的に使用可能になり、給油装置番号や使用面の入力が必要なくなるため、給油設定データが短時間で簡単に入力することができ、給油終了後の給油料金の精算も簡単になる。また、クレジットカードやデビットカードを所持する顧客の対応を給油装置４０の周辺で行うことができる。
【００２７】
図１０及び図１１は本発明第３実施形態の給油装置を説明する図であり、図１０は給油装置の表示パネル部分の正面図、図１１は給油装置の制御装置の構成を説明するブロック図である。なお、第１実施形態に対応する部分及び部材は同一の符号を記し詳細の説明を省略する。
【００２８】
これらの図において、本実施形態の給油装置５０は、給油料金を前に支払ってから顧客がセルフサービスにより給油作業を行うものであり、第１実施形態と同様に形成された表示器ケース１５で正面側及び背面側の表示パネル２２のうち、中央部に配置された正面側及び背面側の表示パネル２２ａには、給油金額表示器２３ａ、給油量表示器２３ｂ及び単価表示器２３ｃ、単価を切り換え表示するためのＬＥＤ等からなる表示灯２３ｄ、及び音声による給油案内をするスピーカ３８が取付けられている。また、他の表示パネル２２ａには、給油設定データとして油種や給油量を選択して入力する選択釦５１、その表示器５２、給油伝票を出力する取り出し口を有するプリンタ２５、クレジットカードやデビットカードを読み取るカードリーダ２６及び人体センサ２７が取付けられている。さらに、他の表示パネル２２ａには、プリペードカード等のリーダ／ライタ２８、給油料金精算のための紙幣読取機２９及びその上部に事務所員と連絡するためのインターフォン４が取付けられている。
【００２９】
また、表示器ケース１５内には、各機器を制御するための制御装置５３が収納されている。この制御装置５３は、図１１に示すように、給油機構１２の給油ポンプの動作を制御し、流量計から出力される流量パルスを積算し給油量や給油料金を算出する給油制御部５３ａと、算出した給油量や給油料金等を表示器２３に表示する制御を行う表示制御部５３ｂと、選択釦５１、表示器５２、プリンタ２５、カードリーダ２６やカードリーダ／ライタ２８、スピーカ３８等のデータ入出力装置を構成する外設機５４を制御する外設機制御部５３ｃと、紙幣読取機２９を制御する紙幣読取制御部５３ｄ等とから構成され、給油所の事務所に配置されたＰＯＳ端末３と接続されている。その他の構成は第１実施形態と同様である。
【００３０】
上記構成の給油装置５０では、データ入出力装置を構成する外設機４４が表示器ケース１５の正面側及び背面側の表示パネル２２に取り付けられ、そのいずれかの面側で操作すれば、給油機構１２を自動的に使用可能になり、給油装置番号や使用面の入力が必要なくなるため、給油設定データが短時間で簡単に入力することができ、給油終了後の給油料金の精算も簡単になる。また、クレジットカード、デビットカード、プリペードカードを所持する顧客の対応を給油装置５０の周辺で行うことができる。
【００３１】
図１２及び図１３は本発明第４実施形態の給油装置を説明する図であり、図１２は給油装置の表示パネル部分の正面図、図１３は給油装置の制御装置の構成を説明するブロック図である。なお、第１実施形態に対応する部分及び部材は同一の符号を記し詳細の説明を省略する。
【００３２】
これらの図において、本実施形態の給油装置６０は、顧客がセルフサービスにより給油作業を行い後に給油料金を支払うものであり、第１実施形態と同様に形成された表示器ケース１５で正面側及び背面側の表示パネル２２のうち、中央部に配置された正面側及び背面側の表示パネル２２ａには、給油金額表示器２３ａ、給油量表示器２３ｂ、単価表示器２３ｃ、音声による給油案内をするスピーカ３８、また給油設定データとして給油量の選択釦６１、その表示器６２及び油種の選択釦６３が取付けられている。また、他の表示パネル２２ａには、給油伝票を出力する取り出し口を有するプリンタ２５、及び人体センサ２７が取付けられている。さらに、他の表示パネル２２ａには、事務所員と連絡するためのインターフォン４が取付けられている。
【００３３】
また、表示器ケース１５内には、各機器を制御するための制御装置６４が収納されている。この制御装置６４は、図１３に示すように、給油機構１２の給油ポンプの動作を制御し、流量計から出力される流量パルスを積算し給油量や給油料金を算出する給油制御部６４ａと、算出した給油量や給油料金等を表示器２３に表示する制御を行う表示制御部６４ｂと、選択釦６１，６３、表示器６２、プリンタ２５及びスピーカ３８等のデータ入出力装置を構成する外設機６５を制御する外設機制御部６４ｃ等とから構成され、給油所の事務所に配置されたＰＯＳ端末３と接続されている。その他の構成は第１実施形態と同様である。
【００３４】
上記構成の給油装置６０では、データ入出力装置を構成する外設機６５が表示器ケース１５の正面側及び背面側の表示パネル２２に取り付けられ、そのいずれかの面側で操作すれば、給油機構１２を自動的に使用可能になり、給油装置番号や使用面の入力が必要なくなるため、給油設定データが短時間で簡単に入力することができ、給油終了後の給油料金の精算も簡単になる。
【００３５】
なお、上記実施形態において、表示パネル２２への表示器２３、紙幣読取機２９及び外設機３２，４４，５４，６５を構成する各機器の取り付け位置は任意にでき、実施形態に限定されない。また、ケース本体１１は、少なくとも正面側及び背面側において給油操作できる形状に形成されていればよい。
【００３６】
【発明の効果】
以上説明したように本発明の給油装置では、複数の給油機構を収納した機器ケースを有し、細長く形成され両側に給油エリアを設けたアイランド上に立設され、給油エリアに対向する正面側および背面側が給油操作の操作面となるよう形成した本体ケースと、機器ケースの上部に配置され正面側及び背面側に表示パネルを有する表示器ケースと、正面側及び背面側のそれぞれの表示パネルに取り付けられ給油設定データを入力するとともに給油データに基づく給油料金精算のための給油伝票を出力するデータ入出力装置を構成する外設機とを備えたことで、本体ケースの正面側及び背面側の表示パネルに取り付けた外設機により給油設定データを入力し、給油料金精算のための給油伝票が出力され、給油データの設定作業を簡略化できるとともに作業性を向上できる。
【図面の簡単な説明】
【図１】本発明第１実施形態の給油装置の斜視図である。
【図２】本発明第１実施形態の給油装置の正面図である。
【図３】本発明第１実施形態の給油装置の表示パネル部分の正面図である。
【図４】本発明第１実施形態の給油装置の制御装置の構成を説明するブロック図である。
【図５】本発明第１実施形態の貨幣読取機の機構を説明する図である。
【図６】本発明第１実施形態のデータ入出機器を構成する外設機の動作を説明するフローチャートである。
【図７】本発明第１実施形態の給油機構の動作を説明するフローチャートである。
【図８】本発明第２実施形態の給油装置の表示パネル部分の正面図である。
【図９】本発明第２実施形態の給油装置の制御装置の構成を説明するブロック図である。
【図１０】本発明第３実施形態の給油装置の表示パネル部分の正面図である。
【図１１】本発明第３実施形態の給油装置の制御装置の構成を説明するブロック図である。
【図１２】本発明第４実施形態の表示パネル部分の正面図である。
【図１３】本発明第４実施形態の給油装置の制御装置の構成を説明するブロック図である。
【符号の説明】
１  アイランド
２  給油エリア
３  ＰＯＳ端末
４  インターフォン
１０，４０，５０，６０  給油装置
１１  本体ケース
１２  給油機構
１３  ベースプレート
１４  機器ケース
１５  表示器ケース
１６  支柱
１７  頂部ケース
１８  給油ホース
１９  給油ノズル
２０  ノズル掛け
２１  ノズルスイッチ
２２  表示パネル
２３  表示器
２４  タッチパネル式表示器
２５  プリンタ
２６  カードリーダ
２７  人体検知センサ
２８  リーダ／ライタ
２９  紙幣読取機
３０，４３，５３，６４
３０ａ，４３ａ，５３ａ，６４ａ  給油制御部
３０ｂ，４３ｂ，５３ｂ，６４ｂ  表示制御部
３０ｃ，４３ｃ，５３ｃ，６３ｃ  外設機制御部
３０ｄ，５３ｄ  紙幣読取制御部
３２，４４，５４，６５  外設機
３３  紙幣挿入口
３４  挿入センサ
３５  ガイド
３６  紙幣案内路
３７  鑑別機
３８  スピーカ
４１  キーボード
４２  表示器
５１  キーボード
５２  表示器
６１，６３  選択釦
６２  表示器
【図１】
0003888517.tif 000002
【図２】
0003888517.tif 000003
【図３】
0003888517.tif 000004
【図４】
0003888517.tif 000005
【図５】
0003888517.tif 000006
【図６】
0003888517.tif 000007
【図７】
0003888517.tif 000008
【図８】
0003888517.tif 000009
【図９】
0003888517.tif 000010
【図１０】
0003888517.tif 000011
【図１１】
0003888517.tif 000012
【図１２】
0003888517.tif 000013
【図１３】
0003888517.tif 000014